(57)【要約】【課題】複数のユーザが使用する外部機器により複数のデータ処理装置から特定の装置を選択して使用する環境で各外部機器と各データ処理装置とを無線通信で簡便に接続できる情報処理システムを提供する。【解決手段】このシステムでは、ユーザ情報管理サーバ３側に音声操作を有効にする設定の音声操作フラグをユーザ情報と紐付けて管理するテーブル３ｂと、Ｂｌｕｅｔｏｏｔｈデバイス（外部機器）１に係る音声操作フラグ、ユーザ情報、デバイス１と各データ処理装置２との接続に必要なペアリング情報を管理するテーブル３ｃとを持たせ、各データ処理装置２側にデバイス１の音声操作フラグが有効なユーザがログインする際に、そのユーザが使用するデバイス１と装置とのペアリング処理を行うペアリング処理部２ｄと、ユーザが使用するデバイス１のマイク１ａとスピーカ１ｂとを特定の装置のマイクとスピーカとして扱う音声入出力切替部２ｅと、を持たせている。【選択図】図２
2018005668.tif 000002
【特許請求の範囲】
【請求項１】
ユーザを認証する認証手段と、ユーザ情報と複数の外部機器の固有識別情報とを関連付けて記憶する記憶手段と、前記ユーザ情報に基づいて前記認証手段が認証したユーザに対してログインを承認するか否かを判断するログイン判断手段と、前記ログイン判断手段がユーザのログインを承認した場合に当該ユーザに関連付けられた前記複数の外部機器における特定の機器との接続を行う接続手段と、を備えた情報処理システムであって、
前記複数の外部機器は、ユーザが使用する音声操作機能を搭載した近距離無線通信機器であり、
前記認証手段、前記ログイン判断手段、及び前記接続手段は、音声操作機能を搭載してネットワークに接続された複数のデータ処理装置にそれぞれ備えられ、
前記記憶手段は、前記近距離無線通信機器に係る音声操作を有効にする設定である音声操作フラグ、前記ユーザ情報、前記複数のデータ処理装置と前記近距離無線通信機器との接続に必要な情報を示すペアリング情報を保存するサーバ機能を持つユーザ情報管理サーバに備えられたことを特徴とする情報処理システム。
【請求項２】
請求項１記載の情報処理システムにおいて、
前記複数のデータ処理装置は、ユーザが前記近距離無線通信機器により前記固有識別情報を用いてログインしたとき、前記ユーザ情報管理サーバから前記ペアリング情報を取得して前記ユーザ情報を照合することにより特定の装置が利用可能となることを特徴とする情報処理システム。
【請求項３】
請求項１又は２記載の情報処理システムにおいて、
前記ユーザ情報管理サーバは、携帯電話通信網を介して前記ネットワークに接続されていることを特徴とする情報処理システム。
【請求項４】
請求項１又は２記載の情報処理システムにおいて、
前記ユーザ情報管理サーバは、前記近距離無線通信機器に係る音声操作を有効にする設定を前記ユーザ情報と紐付けて管理する音声操作フラグ管理テーブルと、前記ペアリング情報を前記ユーザ情報と紐付けて管理するペアリング情報管理テーブルと、を備え、
前記複数のデータ処理装置は、前記音声操作フラグが有効なユーザがログインしたときに前記ユーザ情報と紐付いた前記ペアリング情報に基づいて前記近距離無線通信機器と前記複数のデータ処理装置とをペアリングするペアリング処理部と、前記ユーザ情報と紐付いた前記音声操作フラグに基づいて前記近距離無線通信機器のマイクとスピーカとを自装置のマイクとスピーカとして扱う音声入出力切替部と、を備えたこと特徴とする情報処理システム。
【請求項５】
請求項４記載の情報処理システムにおいて、
前記ペアリング情報管理テーブルは、前記ユーザ情報と紐付けて前記ペアリング情報を複数登録可能であることを特徴とする情報処理システム。
【請求項６】
請求項４記載の情報処理システムにおいて、
前記ペアリング情報管理テーブルは、前記近距離無線通信機器についての最後に音声操作に利用した機器を前記ユーザ情報と紐付けて保存可能であることを特徴とする情報処理システム。
【請求項７】
請求項４記載の情報処理システムにおいて、
前記複数のデータ処理装置は、前記ユーザ情報管理サーバで前記ペアリング情報管理テーブルに対して前記ペアリング情報を登録するときに自動的に当該ユーザ情報管理サーバへ前記音声操作フラグと当該ペアリング情報とを前記ユーザ情報に紐付けて送信するユーザ情報取得部を持つことを特徴とする情報処理システム。
【請求項８】
請求項４記載の情報処理システムにおいて、
前記ユーザ情報管理サーバは、前記複数のデータ処理装置の同時接続可能な台数を参照して登録済みの前記ペアリング情報の登録数と比較し、当該登録数が当該台数を上回っている場合には登録日の古いペアリング情報を削除した上で新しいペアリング情報の登録を行うユーザ情報照会部を持つことを特徴とする情報処理システム。
【発明の詳細な説明】
【技術分野】
【０００１】
本発明は、情報処理システムに関する。
【背景技術】
【０００２】
近年、視覚障害者向けに音声操作機能を搭載すると共に、ネットワークに接続可能なデータ処理装置の一例であるＭＦＰ（Ｍｕｌｔｉ−Ｆｕｎｃｔｉｏｎ  Ｐｒｉｎｔｅｒ）では、その機能によって視覚障害者がＭＦＰ特有の操作を覚えることなく、音声によって操作することが可能となっている。
【０００３】
また、係る機能を有するＭＦＰは、ユーザが使用する音声操作機能（音声入力及び入力された音声の出力再生の機能を示す）を搭載した外部機器としての近距離無線通信機器であるＢｌｕｅｔｏｏｔｈ（登録商標）機能を備えたＮＦＣ（スマートデバイス）等のＢｌｕｅｔｏｏｔｈデバイスからの無線通信接続によって自装置が備えるスピーカやマイクを使うことが可能になっている。これにより、ＭＦＰに対して直接的に音声入力しなくても、Ｂｌｕｅｔｏｏｔｈデバイスにおけるヘッドセットタイプのマイク等を使用して音声入力を行うことで的確に音声を拾い、音声操作を快適に行うことが可能となっている。例えばＭＦＰに装着されたマイクを使う場合にはマイクに対して音声認識されるように意識した発話が必要になることがあるが、Ｂｌｕｅｔｏｏｔｈデバイスにおける無線通信接続によるマイクを使えば音声操作を快適に行うことができる。
【０００４】
こうしたＢｌｕｅｔｏｏｔｈデバイス（近距離無線通信機器）を有効に使用するためには、無線通信により接続したいＭＦＰ等のデータ処理装置をペアリングする必要があるが、係るシステム機能に関連する周知技術として、自動車点火スイッチの信号により車載装置及び携帯電話端末のＢｌｕｅｔｏｏｔｈ機能のオン／オフを制御する「Ｂｌｕｅｔｏｏｔｈに基づく車載装置と携帯電話端末との自動ペアリングシステム」（特許文献１参照）が挙げられる。
【発明の概要】
【発明が解決しようとする課題】
【０００５】
上述した特許文献１に係る技術では、車載端末及び携帯電話端末のＢｌｕｅｔｏｏｔｈ機能を運転者が手動でオン、検索、ペアリング、接続、切断、オフする必要をなくすことを目的とし、車のエンジン投入をトリガとして、スマートデバイス側のＢｌｕｅｔｏｏｔｈ電源を投入し、スマートデバイスと車載機器とをＢｌｕｅｔｏｏｔｈで自動的にペアリングする自動ペアリングシステムを提案している。
【０００６】
ところが、係るシステムと機能構成上で等価な情報処理システムにおいて、複数のユーザが使用する外部機器により複数のデータ処理装置から特定のデータ処理装置を選んで使用する可能性がある場合を想定すると、ユーザが使用するＢｌｕｅｔｏｏｔｈデバイスとその都度使用するデータ処理装置とを各ユーザの要望に合わせて自動的にペアリングする事ができず、データ処理装置毎にペアリング情報を登録する手間が必要になってしまうという問題がある。
【０００７】
ここで、複数のデータ処理装置を上述したＭＦＰとした場合の情報処理システムでは、複数のユーザが使用する外部機器（近距離無線通信機器）により複数のＭＦＰから特定のＭＦＰを選択して使用する環境において、近距離無線通信機器とＭＦＰとを無線通信で簡便に接続することができないという不都合が生じる。
【０００８】
本発明は、このような問題点を解決すべくなされたもので、その技術的課題は、複数のユーザが使用する外部機器により複数のデータ処理装置から特定の装置を選択して使用する環境で各外部機器と各データ処理装置とを無線通信で簡便に接続できる情報処理システムを提供することにある。
【課題を解決するための手段】
【０００９】
上記技術的課題を解決するため、本発明の一形態は、ユーザを認証する認証手段と、ユーザ情報と複数の外部機器の固有識別情報とを関連付けて記憶する記憶手段と、ユーザ情報に基づいて認証手段が認証したユーザに対してログインを承認するか否かを判断するログイン判断手段と、ログイン判断手段がユーザのログインを承認した場合に当該ユーザに関連付けられた複数の外部機器における特定の機器との接続を行う接続手段と、を備えた情報処理システムであって、複数の外部機器は、ユーザが使用する音声操作機能を搭載した近距離無線通信機器であり、認証手段、ログイン判断手段、及び接続手段は、音声操作機能を搭載してネットワークに接続された複数のデータ処理装置にそれぞれ備えられ、記憶手段は、近距離無線通信機器に係る音声操作を有効にする設定である音声操作フラグ、ユーザ情報、複数のデータ処理装置と近距離無線通信機器との接続に必要な情報を示すペアリング情報を保存するサーバ機能を持つユーザ情報管理サーバに備えられたことを特徴とする。
【発明の効果】
【００１０】
本発明によれば、上記構成により、複数のユーザが使用する外部機器により複数のデータ処理装置から特定の装置を選択して使用する環境で各外部機器と各データ処理装置とを無線通信で簡便に接続できるようになる。上記した以外の課題、構成及び効果は、以下の実施の形態の説明により明らかにされる。
【図面の簡単な説明】
【００１１】
【図１】本発明の実施例に係る情報処理システムの基本構成を概略的に例示した図である。
【図２】図１に示す情報処理システムの各部における細部構成を示したブロック図である。
【図３】図２に示す情報処理システムのデータ処理装置に備えられるユーザ情報取得部での自動接続処理動作を示したフローチャートである。
【図４】図２に示す情報処理システムのデータ処理装置に備えられるユーザ情報取得部での登録処理動作を示したフローチャートである。
【図５】図２に示す情報処理システムのユーザ情報管理サーバに備えられるユーザ情報照会部での登録処理動作を示したフローチャートである。
【図６】図２に示す情報処理システムのユーザ情報管理サーバに備えられるペアリング情報管理テーブルに登録されているテーブル形式のユーザ関連情報を例示した図である。
【発明を実施するための形態】
【００１２】
以下に、本発明の情報処理システムについて、実施例を挙げ、図面を参照して詳細に説明する。
【実施例】
【００１３】
図１は、本発明の実施例に係る情報処理システムの基本構成を概略的に例示した図である。
【００１４】
図１を参照すれば、この情報処理システムは、ユーザＵが使用する音声操作機能（Ｂｌｕｅｔｏｏｔｈ機能）を搭載した外部機器としての近距離無線通信機器であって、ヘッドセットタイプのマイク１ａとスピーカ１ｂとを備えたＢｌｕｅｔｏｏｔｈデバイス１と、音声操作機能（Ｂｌｕｅｔｏｏｔｈ機能）を搭載してネットワークＮＷに接続された複数のデータ処理装置（ここでは例えば５台のＭＦＰを例示している）２と、ネットワークＮＷに接続されたサーバ機能を持つユーザ情報管理サーバ３と、を備えて構成される。因みに、ここでの各データ処理装置２についても、略図するマイクとスピーカとが備えられているものとする。また、Ｂｌｕｅｔｏｏｔｈデバイス１はユーザＵが複数人いれば複数台あるとみなして良いものである。勿論、データ処理装置２の台数についても５台以外であっても構わない。
【００１５】
このうち、各データ処理装置２は、後文で詳述するように、処理機能上でユーザＵを認証する認証手段と、ユーザ情報に基づいて認証手段が認証したユーザＵに対してログインを承認するか否かを判断するログイン判断手段と、ログイン判断手段がユーザＵのログインを承認した場合にユーザＵに関連付けられた複数のＢｌｕｅｔｏｏｔｈデバイス１における特定のデバイスとの接続を行う接続手段と、を備えている。また、ユーザ情報管理サーバ３は、後文で詳述するように、処理機能上でユーザ情報と複数のＢｌｕｅｔｏｏｔｈデバイス１の固有識別情報（ＩＤ）とを関連付けて記憶する記憶手段を備え、Ｂｌｕｅｔｏｏｔｈデバイス１に係る音声操作を有効にする設定である音声操作フラグ、ユーザ情報、各データ処理装置２と各Ｂｌｕｅｔｏｏｔｈデバイス１との接続に必要な固有識別情報（ＩＤ）や認証コード等の情報を示すペアリング情報を保存する機能を持つ。これにより、各データ処理装置２は、ユーザＵがＢｌｕｅｔｏｏｔｈデバイス１により固有識別情報（ＩＤ）を用いて音声操作してログインしたとき、ユーザ情報管理サーバ３からペアリング情報を取得してユーザ情報を照合することにより特定の装置が利用可能となる。尚、ユーザ情報管理サーバ３については、携帯電話通信網を介してネットワークＮＷに接続されるようにしても良く、そうした場合にはユーザ情報管理サーバ３がローカルエリアネットワークＬＡＮ内に存在しなくともシステム利用することが可能となる。
【００１６】
図１に示す情報処理システムでは、複数のユーザＵが使用するＢｌｕｅｔｏｏｔｈデバイス１により各データ処理装置２から特定の装置を選択して使用する環境において、ユーザＵが使用するＢｌｕｅｔｏｏｔｈデバイス１とその都度使用するデータ処理装置２とを各ユーザＵの要望に合わせて自動的にペアリングする事を可能とし、１つのデータ処理装置２に一度だけペアリング情報を登録することで、別の装置を使用する際のペアリング情報の登録が不要になる機能を持つ。
【００１７】
即ち、この情報処理システムでは、ユーザ情報と一緒に音声操作フラグとペアリング情報とがユーザ情報管理サーバ３に保存されており、ユーザＵがＢｌｕｅｔｏｏｔｈデバイス１の固有識別情報（ＩＤ）を用いてデータ処理装置２へログインしたとき、そのデータ処理装置２がユーザ情報を照合してユーザＵの音声操作フラグとペアリング情報とをユーザ情報管理サーバ３から取得し、ユーザＵのＢｌｕｅｔｏｏｔｈデバイス１と自動的にペアリングすることで、Ｂｌｕｅｔｏｏｔｈデバイス１のマイク１ａやスピーカ１ｂをデータ処理装置２のマイクやスピーカとして利用することができるものである。尚、Ｂｌｕｅｔｏｏｔｈデバイス１を用いたデータ処理装置２へのログインは、Ｂｌｕｅｔｏｏｔｈデバイス１がデータ処理装置２に接近した場合に自動的に行われるか、或いはＢｌｕｅｔｏｏｔｈデバイス１の固有識別情報（ＩＤ）をデータ処理装置２の所定箇所にかざすことで行われる場合を想定している。
【００１８】
図２は、上述した情報処理システムの各部における細部構成を示したブロック図である。
【００１９】
図２を参照すれば、上述した処理機能を実現するため、Ｂｌｕｅｔｏｏｔｈデバイス１は、マイク１ａ、スピーカ１ｂの他、無線通信部１ｃを備える。また、ユーザ情報管理サーバ３は、ユーザ情報を管理するユーザ情報管理テーブル３ａと、Ｂｌｕｅｔｏｏｔｈデバイス１に係る音声操作を有効にする設定をユーザ情報と紐付けて管理する音声操作フラグ管理テーブル３ｂと、ペアリング情報をユーザ情報と紐付けて管理するペアリング情報管理テーブル３ｃと、ネットワークＮＷを介して各データ処理装置２からユーザ情報の照会要求があると、ユーザ情報と音声操作フラグとのペアリング情報を返すユーザ情報照会部３ｄと、ネットワークＮＷと接続されて各データ処理装置２との間でデータを授受するためのネットワークサブシステム３ｅと、を備えて構成される。
【００２０】
このうち、音声操作フラグ管理テーブル３ｂ、ペアリング情報管理テーブル３ｃ、及びユーザ情報照会部３ｄは、処理機能上で合わせて上述した記憶手段として働く。ユーザ情報照会部３ｄは、各データ処理装置２の同時接続可能な台数を参照して登録済みのペアリング情報の登録数と比較し、登録数が台数を上回っている場合には登録日の古いペアリング情報を削除した上で新しいペアリング情報の登録を行う機能を持つ。これにより、各データ処理装置２の同時接続可能な台数に合わせてペアリング情報の管理を行うことが可能となる。また、ペアリング情報管理テーブル３ｃは、ユーザ情報と紐付けてペアリング情報を複数登録可能な機能を持つ。これにより、複数のユーザが複数のＢｌｕｅｔｏｏｔｈデバイス１を同時に利用する場合にも、ユーザ情報と紐付けて複数のペアリング情報を参照して無線通信接続することが可能となる。更に、ペアリング情報管理テーブル３ｃは、Ｂｌｕｅｔｏｏｔｈデバイス１についての最後に音声操作に利用したＢｌｕｅｔｏｏｔｈデバイス１をユーザ情報と紐付けて保存可能な機能を持つ。これにより、ユーザが最後に音声操作に利用したＢｌｕｅｔｏｏｔｈデバイス１を優先的に音声操作に利用することが可能となる。
【００２１】
一方、各データ処理装置２は、上述したマイク２ａ、スピーカ２ｂを備えると共に、Ｂｌｕｅｔｏｏｔｈデバイス１の無線通信部１ｃとの間で無線通信を行う無線通信部２ｃを備えている。この他、各データ処理装置２は、音声操作フラグが有効なユーザがログインしたときにユーザ情報と紐付いたペアリング情報に基づいてＢｌｕｅｔｏｏｔｈデバイス１と各データ処理装置２とのペアリング処理を行うペアリング処理部２ｄと、ユーザ情報と紐付いた音声操作フラグに基づいてＢｌｕｅｔｏｏｔｈデバイス１のマイク１ａとスピーカ１ｂとの音声入出力を切替えて自装置のマイクとスピーカとして扱う音声入出力切替部２ｅと、ユーザ情報管理サーバ３でペアリング情報管理テーブル３ｃに対してペアリング情報を登録するときに自動的にユーザ情報管理サーバ３へ音声操作フラグとペアリング情報とをユーザ情報に紐付けて送信するユーザ情報取得部２ｆと、Ｂｌｕｅｔｏｏｔｈデバイス１の固有識別情報（ＩＤ）を読み取り、自装置内でログイン要求を出す固有ＩＤ読み取り部２ｇと、音声入出力切替部２ｅで切替えられた音声操作の音声認識処理を行う音声認識処理部２ｈと、音声認識処理部２ｈでの音声認識処理に際してのデータ処理やユーザ情報管理サーバ３との間でデータを授受するときのデータ処理を担うデータ処理部２ｉと、ネットワークＮＷと接続されてユーザ情報管理サーバ３のネットワークサブシステム３ｅとの間でデータを授受するためのネットワークサブシステム２ｋと、を備えて構成される。
【００２２】
このうち、ユーザ情報取得部２ｆは、固有ＩＤ読み取り部２ｇからのログイン要求に応じて、ユーザ情報管理サーバ３のユーザ情報照会部３ｄへユーザ情報を照会し、ペアリング情報をペアリング処理部２ｄに、音声操作フラグを音声入出力切替部２ｅに送る機能を持つ。これにより、各データ処理装置２からユーザ情報管理サーバ３に対してユーザ情報に紐付けた音声操作フラグとペアリング情報とを登録することが可能となる。そこで、これらのユーザ情報取得部２ｆ、ペアリング処理部２ｄ、及び固有ＩＤ読み取り部２ｇと無線通信部２ｃ及びネットワークサブシステム２ｋとを合わせた処理機能は、上述した認証手段及びログイン判断手段として働き、更に音声入出力切替部２ｅの処理機能を含めた場合には上述した接続手段として働く。
【００２３】
要するに、実施例に係る情報処理システムでは、ユーザ情報管理サーバ３側に音声操作を有効にする設定である音声操作フラグをユーザ情報と紐付けて管理する音声操作フラグ管理テーブル３ｂと、音声操作フラグ、ユーザ情報、及びペアリング情報を管理するペアリング情報管理テーブル３ｃとを持たせ、各データ処理装置２側にユーザが使用するＢｌｕｅｔｏｏｔｈデバイス１の音声操作フラグが有効なユーザがログインする際に、そのユーザが使用するＢｌｕｅｔｏｏｔｈデバイス１とデータ処理装置２とのペアリング処理を行うペアリング処理部２ｄと、ユーザが使用するＢｌｕｅｔｏｏｔｈデバイス１のマイク１ａとスピーカ１ｂとを特定の装置のマイクとスピーカとして扱う音声入出力切替部２ｅと、を持たせているため、１つのデータ処理装置２に一度だけペアリング情報を登録すれば別の装置を使用する際のペアリング情報の登録が不要になる。
【００２４】
図３は、上述した情報処理システムのデータ処理装置２に備えられるユーザ情報取得部２ｆでの自動接続処理動作を示したフローチャートである。
【００２５】
図３を参照すれば、ユーザ情報取得部２ｆでの自動接続処理動作では、ユーザの適応した音声操作でＢｌｕｅｔｏｏｔｈデバイス１とデータ処理装置２とを自動的にペアリングするため、動作開始後にはログイン要求があるか否かの判定（ステップＳ１）を行う。この判定の結果、ログイン要求がなければこの処理の前に戻って判定を繰り返すが、ログイン要求があればユーザ情報管理サーバ３に対してユーザ情報を照合（ステップＳ２）する処理を行った後、登録ユーザであるか否かの判定（ステップＳ３）を行う。この判定の結果、登録ユーザでなければログイン拒否（ステップＳ４）してからログイン要求があるか否かの判定（ステップＳ１）の前に戻って判定を繰り返すが、登録ユーザであれば音声操作フラグが有効であるか否かの判定（ステップＳ５）を行う。この判定の結果、音声操作フラグが有効でなければ（音声操作フラグが無効であれば）音声入出力をデータ処理装置２に切り替える（ステップＳ６）ようにしてから動作を終了する。
【００２６】
また、音声操作フラグが有効であるか否かの判定（ステップＳ５）の結果、音声操作フラグが有効であればペアリング情報を取得してデータ処理装置２とＢｌｕｅｔｏｏｔｈデバイス１とを接続する（ステップＳ７）処理を行った後、音声入出力をＢｌｕｅｔｏｏｔｈデバイス１に切り替える（ステップＳ８）処理を行ってから動作を終了する。ここでのユーザ情報取得部２ｆでの自動接続処理動作により、接続履歴のないデータ処理装置２においても、登録ユーザの要求に合わせ、ペアリング情報を自動的に取得し、ユーザが使用するＢｌｕｅｔｏｏｔｈデバイス１に自動的に無線通信接続することが可能になる。
【００２７】
図４は、上述した情報処理システムのデータ処理装置２に備えられるユーザ情報取得部２ｆでの登録処理動作を示したフローチャートである。
【００２８】
図４を参照すれば、ユーザ情報取得部２ｆでの登録処理動作では、ユーザの適応した音声操作でＢｌｕｅｔｏｏｔｈデバイス１とデータ処理装置２とのペアリング情報を登録する際、ユーザ情報管理サーバ３に対しても自動的に登録させるため、動作開始後にはデータ処理装置２にログインする（ステップＳ１）処理を経てから新規にＢｌｕｅｔｏｏｔｈデバイス１をペアリング接続する（ステップＳ２）処理を行う。引き続き、ユーザに音声操作を利用するか確認する（ステップＳ３）処理を経てから音声操作を利用するか否かの判定（ステップＳ４）を行う。この判定の結果、音声操作を利用すれば音声操作フラグをＯＮに変更（ステップＳ５）するが、音声操作を利用しなければ音声操作フラグをＯＦＦに変更（ステップＳ６）し、何れの場合もその後はユーザ情報管理サーバ３へ音声操作フラグとペアリング情報とをユーザ情報に紐付けて送信する（ステップＳ７）処理を行ってから動作を終了する。ここでのユーザ情報取得部２ｆでの登録処理動作により、最初に利用するデータ処理装置２において、ペアリング情報を登録する際、自動的にユーザ情報管理サーバ３に対して音声操作フラグとペアリング情報とをユーザ情報と紐付けて送信されるため、ユーザはユーザ情報管理サーバ３への登録処理を意識することなくシステム利用することが可能になる。また、新たに追加で利用するＢｌｕｅｔｏｏｔｈデバイス１の無線通信接続時についても、本処理により自動的にユーザ情報管理サーバ３へ登録される。
【００２９】
図５は、上述した情報処理システムのユーザ情報管理サーバ３に備えられるユーザ情報照会部３ｄでの登録処理動作を示したフローチャートである。
【００３０】
図５を参照すれば、ユーザ情報照会部３ｄでの登録処理動作では、ユーザの適応した音声操作でＢｌｕｅｔｏｏｔｈデバイス１とデータ処理装置２とのペアリング情報を登録する際、データ処理装置２からユーザ情報管理サーバ３に登録されている登録情報の更新要求に応じて自動的に登録情報を更新させるため、動作開始後は情報の更新要求があるか否かの判定（ステップＳ１）を行う。この判定の結果、更新要求がなければこの処理の前に戻って判定を繰り返すが、更新要求があれば引き続いて登録ユーザであるか否かの判定（ステップＳ２）を行う。この判定の結果、登録ユーザでなければ情報更新の失敗（ステップＳ３）とみなしてから情報の更新要求があるか否かの判定（ステップＳ１）の前に戻って判定を繰り返すが、登録ユーザであれば引き続いて既にペアリング情報が登録されているか否かの判定（ステップＳ４）を行う。
【００３１】
この判定の結果、既にペアリング情報が登録されていればデータ処理装置２の同時接続可能な台数とユーザ情報管理サーバ３に登録されている登録ユーザのペアリング情報登録数とを確認する（ステップＳ５）処理を行ってから同時接続可能な台数≦ペアリング情報登録数であるか否かの判定（ステップＳ６）を行う。この判定の結果、同時接続可能な台数がペアリング情報登録数以下であれば登録日が最も古いペアリング情報を削除する（ステップＳ７）処理を行うが、この後は同時接続可能な台数がペアリング情報登録数を超過している場合や先の既にペアリング情報が登録されているか否かの判定（ステップＳ４）の結果でペアリング情報が登録されていない場合（ステップＳ５〜Ｓ７はジャンプする）と同様に、登録ユーザに紐付けて音声操作フラグとペアリング情報とを登録する（ステップＳ８）処理を行ってから動作を終了する。ここでのユーザ情報照会部３ｄでの登録処理動作により、データ処理装置２からユーザ情報管理サーバ３に登録されている登録情報の更新要求に応じて自動的に登録情報を更新させることが可能となる他、データ処理装置２の同時接続可能な台数に合わせてペアリング情報の管理を行うことが可能となる。
【００３２】
図６は、上述した情報処理システムのユーザ情報管理サーバ３に備えられるペアリング情報管理テーブル３ｃに登録されているテーブル形式のユーザ関連情報を例示した図である。
【００３３】
図６を参照すれば、ここではユーザ情報管理サーバ３のペアリング情報管理テーブル３ｃに登録されているユーザ関連情報として、ユーザＡについてはユーザ情報が０９８２１８５、音声操作フラグがＯＮ、ペアリング情報がペアリングａ（２０１６／０２／０２登録）及びペアリングｂ（２０１６／０２／１８登録）である場合を示している。また、ユーザＢについてはユーザ情報が０１４８０３５、音声操作フラグがＯＮ、ペアリング情報がペアリングｃ（２０１５／１２／０４登録）である場合を示している。更に、ユーザＣについてはユーザ情報が０８９８５４３、音声操作フラグがＯＦＦ、ペアリング情報がＮ／Ａ（該当なし）である場合を示している。このようにペアリング情報管理テーブル３ｃには、例えばユーザＡの場合のように、ペアリング情報を複数登録することが可能となっているため、ユーザがＢｌｕｅｔｏｏｔｈデバイス１のスマートデバイスとヘッドセットタイプのマイク１ａとを同時に使いたい場合等、複数のＢｌｕｅｔｏｏｔｈデバイス１を利用する場合にも、ユーザ情報と紐付けて参照することが可能となる。
【符号の説明】
【００３４】
１  Ｂｌｕｅｔｏｏｔｈデバイス
１ａ、２ａ  マイク
１ｂ、２ｂ  スピーカ
１ｃ、２ｃ  無線通信部
２  データ処理装置
２ｄ  ペアリング処理部
２ｅ  音声入出力切替部
２ｆ  ユーザ情報取得部
２ｇ  固有ＩＤ読み取り部
２ｈ  音声認識処理部
２ｉ  データ処理部
２ｋ、３ｋ  ネットワークサブシステム
３  ユーザ情報管理サーバ
３ａ  ユーザ情報管理テーブル
３ｂ  音声操作フラグ管理テーブル
３ｃ  ペアリング情報管理テーブル
３ｄ  ユーザ情報照会部
ＮＷ  ネットワーク
Ｕ  ユーザ
【先行技術文献】
【特許文献】
【００３５】
【特許文献１】特表２０１６−５０４７７７号公報
【図１】
2018005668.tif 000003
【図２】
2018005668.tif 000004
【図３】
2018005668.tif 000005
【図４】
2018005668.tif 000006
【図５】
2018005668.tif 000007
【図６】
2018005668.tif 000008